【事件の表示】
　国際登録第９８８０６１号商標に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＥＣＯＧＥＮ」の欧文字を横書きしてなり、日本国を指定する国際登録において指定された第１６類、第２０類、第２１類及び第３５類に属する商品及び役務を指定商品及び指定役務として、２００８（平成２０年）年７月１５日に国際商標登録出願されたものである。
　その後、指定商品及び指定役務については、２０１１年（平成２３年）１１月２２日に国際登録簿に記録された限定の通報があった結果、第１６類「Ｐｅｎ　ａｎｄ　ｐｅｎｃｉｌ　ｈｏｌｄｅｒｓ　ｉｎ　ｔｈｅ　ｎａｔｕｒｅ　ｏｆ　ｂｏｘｅｓ，ｕｒｎｓ　ａｎｄ　ｃｕｐｓ；ｐａｐｅｒ　ｔｒａｙｓ；ｆｉｌｅ　ｔｒａｙｓ；ｃａｎｉｓｔｅｒｓ　ｆｏｒ　ｓｔｏｒａｇｅ　ｏｆ　ｏｆｆｉｃｅ　ｉｔｅｍｓ；ｄｅｓｋｔｏｐ　ａｎｄ　ｏｆｆｉｃｅ　ｏｒｇａｎｉｚｅｒｓ　ｆｏｒ　ｈｏｌｄｉｎｇ　ｄｅｓｋ　ｓｕｐｐｌｉｅｓ　ａｎｄ　ｍａｉｌ；ｄｅｓｋ　ｔｏｐ　ｏｒｇａｎｉｚｅｒｓ　ｉｎ　ｔｈｅ　ｎａｔｕｒｅ　ｏｆ　ａ　ｔｏｗｅｒ　ｆｏｒ　ｈｏｌｄｉｎｇ　ｄｅｓｋ　ｓｕｐｐｌｉｅｓ；ｆｉｌｅ　ｂｏｘｅｓ　ｆｏｒ　ｓｔｏｒａｇｅ　ｏｆ　ｂｕｓｉｎｅｓｓ　ａｎｄ　ｐｅｒｓｏｎａｌ　ｒｅｃｏｒｄｓ；ｂｏｏｋ　ｃｏｖｅｒｓ；ｂｏｏｋ　ｅｎｄｓ；ｐｒｅｓｅｎｔａｔｉｏｎ　ｆｉｌｅ　ｆｏｌｄｅｒｓ；ｒｅｕｓａｂｌｅ　ｐｒｏｔｅｃｔｉｖｅ　ｆｏｌｄｅｒｓ　ａｎｄ　ｐｏｒｔｆｏｌｉｏｓ；ｄｅｃｏｒａｔｉｖｅ　ｍｅｔａｌ　ｍｅｍｏ　ｃｌｉｐｓ，ｄｅｃｏｒａｔｉｖｅ　ｍｅｔａｌ　ａｄｈｅｓｉｖｅ　ｃｌｉｐｓ　ｆｏｒ　ｍｅｍｏｓ，ｄｅｃｏｒａｔｉｖｅ　ｍｅｍｏ　ｃｌｉｐｓ　ｎｏｔ　ｍａｄｅ　ｏｆ　ｍｅｔａｌ，ｄｅｃｏｒａｔｉｖｅ　ｐｕｓｈ　ｐｉｎｓ；ｄｅｓｋｔｏｐ　ｍａｉｌ　ａｎｄ　ｐａｐｅｒ　ｓｏｒｔｅｒｓ；ｓｔａｃｋａｂｌｅ　ｌｅｔｔｅｒ　ｔｒａｙｓ；ｈａｎｇｉｎｇ　ｍａｇａｚｉｎｅ　ｆｉｌｅｓ；ｍａｉｌ　ｈｏｌｄｅｒｓ；ｄｅｓｋ　ｄｒａｗｅｒ　ｏｒｇａｎｉｚｅｒｓ；ｓｔａｃｋｉｎｇ　ｂｉｎｓ　ｆｏｒ　ｈｏｌｄｉｎｇ　ｄｅｓｋ　ｓｕｐｐｌｉｅｓ；ｂｌａｎｋ　ｊｏｕｒｎａｌｓ；ｒｕｂｂｅｒ　ｓｔａｍｐｓ；ｓｔａｍｐ　ｐａｄｓ；ｃａｒｄｂｏａｒｄ　ｂｏｘｅｓ　ｕｓｅｄ　ｆｏｒ　ｄｉｓｐｌａｙ　ｏｆ　ｐｒｏｄｕｃｔｓ．」、第２０類「Ｍｅｓｓａｇｅ　ｂｏａｒｄｓ；ｎｏｎ−ｔｅｘｔｉｌｅ　ｓｔｏｒａｇｅ　ｃｏｎｔａｉｎｅｒｓ　ｉｎ　ｔｈｅ　ｆｏｒｍ　ｏｆ　ｐｏｕｃｈｅｓ　ａｎｄ　ｚｉｐｐｅｒｅｄ　ｅｎｖｅｌｏｐｅｓ；ｆｕｒｎｉｔｕｒｅ，ｎａｍｅｌｙ　ｂｅｎｃｈｅｓ，ｍａｇａｚｉｎｅ　ｒａｃｋｓ，ｖａｌｅｔｓ，ｄｅｓｋｔｏｐ　ｂｏｏｋｃａｓｅｓ　ａｎｄ　ｂｕｒｅａｕｘ，ｓｔａｃｋａｂｌｅ　ｓｈｅｌｖｅｓ，ｃｈａｉｒｓ，ｏｔｔｏｍａｎｓ，ｆｏｏｔｒｅｓｔｓ，ｔａｂｌｅｓ，ｄｒａｗｅｒｓ；ｓｕｐｐｏｒｔ　ｒａｃｋｓ　ａｎｄ　ｓｕｐｐｏｒｔ　ｓｔａｎｄｓ　ｆｏｒ　ｈｏｌｄｉｎｇ　ｃｏｎｔａｉｎｅｒｓ，ｂａｓｋｅｔｓ　ａｎｄ　ｄｒａｗｅｒｓ；ｈａｎｇｉｎｇ　ｄｅｓｋ　ｓｈｅｌｖｅｓ　ａｎｄ　ｄｒａｗｅｒｓ；ｔｉｅｒｅｄ　ｓｈｅｌｖｅｓ；ｃｏｒｎｅｒ　ｓｔａｎｄｉｎｇ　ｓｈｅｌｖｅｓ；ｐｈｏｔｏ　ｍｏｂｉｌｅｓ　ｍａｄｅ　ｏｆ　ｐｌａｓｔｉｃ；ｐｌａｓｔｉｃ　ｓｔｏｒａｇｅ　ｂｉｎｓ；ｔｒａｎｓｐａｒｅｎｔ　ｓｔｏｒａｇｅ　ｂｏｘｅｓ　ｃｏｍｐｏｓｅｄ　ｐｒｉｍａｒｉｌｙ　ｏｆ　ｐｌａｓｔｉｃ；ｐｌａｓｔｉｃ　ｂｕｒｅａｕｘ　ｗｉｔｈ　ｄｒａｗｅｒｓ；ｌａｕｎｄｒｙ　ｂｉｎｓ；ｕｍｂｒｅｌｌａ　ｓｔａｎｄｓ；ｄｉｓｐｌａｙ　ｒａｃｋｓ；ｎｅｗｓｐａｐｅｒ　ｂｉｎｓ；ｃａｂｉｎｅｔｓ；ｔａｂｌｅｓ　ａｎｄ　ｓｔｏｏｌｓ　ｆｏｒ　ｃｈｉｌｄｒｅｎ；ｇｉｆｔ　ｂｏｘｅｓ　ｏｆ　ｐｌａｓｔｉｃ；ｂｏｘｅｓ　ｆｏｒ　ｓｔｏｒａｇｅ　ｏｆ　ｃｌｏｔｈｅｓ　ａｎｄ　ｈｏｕｓｅｈｏｌｄ　ｇｏｏｄｓ；ｄｒａｗｅｒｓ　ｆｏｒ　ｕｓｅ　ｉｎ　ｋｉｔｃｈｅｎ　ｃａｂｉｎｅｔｓ　ｏｒ　ｓｈｅｌｖｅｓ；ｃｒａｔｅｓ　ｆｏｒ　ｄｏｍｅｓｔｉｃ　ｕｓｅ；ｓｈｏｐ　ｃｒａｔｅｓ　ｆｏｒ　ｄｏｍｅｓｔｉｃ　ｕｓｅ；ｇｅｎｅｒａｌ　ｐｕｒｐｏｓｅ　ｓｔｏｒａｇｅ　ｃｕｂｅｓ　ｆｏｒ　ｄｏｍｅｓｔｉｃ　ｕｓｅ；ｃｌｏｓｅｔ　ｏｒｇａｎｉｚｅｒｓ；ｓｈｏｅ　ｒａｃｋｓ；ｄｅｃｏｒａｔｉｖｅ　ｂｏｘｅｓ　ｆｏｒ　ｓｔｏｒａｇｅ　ｏｆ　ｓｍａｌｌ　ｉｔｅｍｓ　ｎｏｔ　ｏｆ　ｐｒｅｃｉｏｕｓ　ｍｅｔａｌ．」、第２１類「Ｐａｐｅｒ　ｔｏｗｅｌ　ｈｏｌｄｅｒｓ，ｃａｎｉｓｔｅｒｓ，ｌｕｎｃｈ　ｂｏｘｅｓ，ｗｉｎｅ　ｒａｃｋｓ；ｃｕｐｓ；ｂｏｗｌｓ；ｖａｎｉｔｙ　ｃａｓｅｓ　（ｆｉｔｔｅｄ）；ｗａｌｌ　ｓｃｏｎｃｅｓ　ｎｏｔ　ｏｆ　ｐｒｅｃｉｏｕｓ　ｍｅｔａｌ；ｍｉｎｉａｔｕｒｅ　ｇｌａｓｓ　ｓｃｕｌｐｔｕｒｅｓ；ｇｌａｓｓ　ｏｒｎａｍｅｎｔｓ　ｎｏｔ　ｆｏｒ　Ｃｈｒｉｓｔｍａｓ；ｇｌａｓｓ　ｐｅｂｂｌｅｓ．」及び第３５類「Ｒｅｔａｉｌ／ｗｈｏｌｅｓａｌｅ　ｍａｉｌ　ｏｒｄｅｒ　ｃａｔａｌｏｇ　ｓｅｒｖｉｃｅｓ　ｆｏｒ　ｃａｂｉｎｅｔｓ　ｆｏｒ　ｋｉｔｃｈｅｎｓ，ｓｔａｔｉｏｎｅｒｙ，ｃａｂｉｎｅｔｓ　ｆｏｒ　ｓｔａｔｉｏｎｅｒｙ　（ｏｆｆｉｃｅ　ｒｅｑｕｉｓｉｔｅｓ），ｄｅｓｋｔｏｐ　ｔｒａｙｓ，ｆｉｌｅ　ｂｏｘｅｓ　ａｎｄ　ｓｏｒｔｅｒｓ，ｂｏｘｅｓ　ｆｏｒ　ｓｔｏｒａｇｅ　ｏｆ　ｃｌｏｔｈｅｓ　ａｎｄ　ｈｏｕｓｅｈｏｌｄ　ｇｏｏｄｓ，ｄｅｓｋ　ａｎｄ　ｗａｌｌ　ｂｕｒｅａｕｘ，ｂｏｘｅｓ　ｆｏｒ　ｓｔｏｒａｇｅ　ｏｆ　ｒｅｃｏｒｄｅｄ　ｖｉｄｅｏ　ｄｉｓｃｓ，ｖｉｄｅｏ　ｔａｐｅｓ，ｒｅｃｏｒｄｅｄ　ｃｏｍｐａｃｔ　ｄｉｓｃｓ，ｐｈｏｎｏｇｒａｐｈ　ｒｅｃｏｒｄｓ　ａｎｄ　ｖｉｄｅｏ　ｇａｍｅ　ｃａｒｔｒｉｄｇｅｓ，ｓｔｏｒａｇｅ　ｒａｃｋｓ，ｄｅｃｏｒａｔｉｖｅ　ｍａｇｎｅｔｓ，ｍｅｍｏ　ｃｌｉｐｓ，ａｄｈｅｓｉｖｅ　ｃｌｉｐｓ　ａｎｄ　ｐｕｓｈｐｉｎｓ，ｆｕｒｎｉｔｕｒｅ　ｆｏｒ　ｃｈｉｌｄｒｅｎ，ｗｉｒｅ　ｍｅｓｈ　ｆｕｒｎｉｔｕｒｅ，ｓｈｅｌｖｅｓ，ｄｒａｗｅｒｓ，ｃｌｏｓｅｔ　ｏｒｇａｎｉｚｅｒｓ，ｓｈｏｅ　ｒａｃｋｓ，ｄｉｓｐｌａｙ　ｒａｃｋｓ．」とされたものである。
２　原査定の拒絶の理由の要点
　原査定において、以下の（１）ないし（３）のとおり認定、判断し、本願を拒絶したものである。
　（１）本願に係る指定商品及び指定役務の表示は、その内容及び範囲を明確に指定したものとは認められない。したがって、本願は、商標法第６条第１項の要件を具備しない。
　（２）商標登録を受けることができる商標は、現在使用をしているもの又は近い将来使用をするものと解されるところ、本願において指定する商品及び役務について、本願商標を使用しているか又は近い将来使用をすることについて疑義があるものである。したがって、本願商標は、商標法第３条第１項柱書の要件を具備しない。
　（３）本願商標は、登録第４３２０８６０号商標（以下「引用商標」という。）と同一又は類似の商標であって同一又は類似の商品及び役務について使用するものであるから、商標法第４条第１項第１１号に該当する。
３　当審の判断
　（１）商標法第６条第１項について
　本願に係る指定商品及び指定役務については、前記１のとおり限定された結果、商品及び役務の内容及び範囲が明確になったものである。
　（２）商標法第３条第１項柱書について
　本願に係る指定商品及び指定役務は、前記１のとおり限定された結果、本願商標を使用しているか又は近い将来使用をすることについての疑義がなくなったものである。
　（３）商標法第４条第１項第１１号について
　本願の指定商品及び指定役務は、前記１のとおり限定された結果、引用商標の指定商品と同一又は類似の商品及び役務はすべて削除されたと認められるものであり、その結果、本願の指定商品及び指定役務と引用商標の指定商品とは、類似しないものとなった。
　（４）まとめ
　したがって、本願商標が商標法第６条第１項及び同法第３条第１項柱書の要件を具備しないとし、かつ、同法第４条第１項第１１号に該当するとした原査定の拒絶の理由は、解消した。
　その他、政令で定める期間内に本願について拒絶の理由を発見しない。
　よって、結論のとおり審決する。